(57)【要約】  構造が簡単であって、確実かつエネルギ効率よく駆動可能なフロー装置を提供するために、フロー装置が、複数のフローセグメントを有し、それらがそれぞれ１つ又は複数のフローボディ収容部を有し、かつ不純物を除去するために浄化モードにおいて生ガス流によって貫流可能であり、生ガス供給部を介して生ガス流がフローセグメントへ供給可能であり、かつフローセグメントによって浄化されたクリーンガス流がクリーンガス導出部によってフローセグメントから導出可能であり；フローセグメントを再生するための再生装置を有し、再生装置が１つ又は複数の再生すべきフローセグメントと、再生装置の加熱装置及び／又は洗浄装置との間に一時的な接続を形成するためにドッキング装置を有している、ことが提案される。【選択図】図１
2019534143.tif 000002
【特許請求の範囲】
【請求項１】
生ガス流（１０６）から不純物を除去するため、特に燃焼排ガスから煤粒子を分離するためのフロー装置（１００）であって、フロー装置（１００）が、
複数のフローセグメント（１１２）を有し、前記フローセグメントがそれぞれ１つ又は複数のフローボディ（１１８）を有し、かつ不純物を除去するために浄化モードにおいて生ガス流（１０６）によって貫流可能であり、生ガス供給部（１０４）を介して生ガス流（１０６）がフローセグメント（１１２）へ供給可能であり、かつフローセグメント（１１２）によって浄化されたクリーンガス流（１０８）がクリーンガス導出部（１１０）によってフローセグメント（１１２）から導出可能であり、
フローセグメント（１１２）を再生するための再生装置（１６０）を有し、再生装置（１６０）が、１つ又は複数の再生すべきフローセグメント（１１２）と、再生装置（１６０）の加熱装置（１６２）及び／又は洗浄装置（１６４）との間に一時的な接続を形成するために、ドッキング装置（１６８）を有している、
フロー装置。
【請求項２】
フロー装置（１００）が分離装置であり、
フローセグメント（１１２）が分離セグメントであって、かつ
フローボディ（１１８）が分離ボディである、
ことを特徴とする請求項１に記載のフロー装置（１００）。
【請求項３】
フロー装置（１００）がドッキング装置（１６８）及び／又はフローセグメント（１１２）を次のように、すなわちドッキング装置（１６８）が選択的に異なるフローセグメント（１１２）に連結可能であるように、移動させるための移動装置（１４０）を有しており、好ましくは、移動装置（１１４）がフローセグメント（１１２）を回転運動させることができる、ことを特徴とする請求項１又は２のいずれか１項に記載のフロー装置（１００）。
【請求項４】
フローセグメント（１１２）がそれぞれ、少なくともほぼ円柱セグメント形状に形成されており、かつ／又は
フローセグメント（１１２）がまとまって、少なくともほぼ円柱形状のフローユニット（１３８）を形成する、
ことを特徴とする請求項１から３のいずれか１項に記載のフロー装置（１００）。
【請求項５】
各フローセグメント（１１２）がそれぞれ複数のフローボディ（１１８）を有し、それらのフローボディがそれぞれのフローセグメント（１１２）の、互いに異なる、かつ／又は互いに空間的に分離されたフローボディ収容部（１２０）内に収容されている、ことを特徴とする請求項１から４のいずれか１項に記載のフロー装置（１００）。
【請求項６】
各フローセグメント（１１２）がそれぞれ複数のフローボディ（１１８）を有し、前記フローボディが
ａ）互いに列をなして配置されており、かつ／又は
ｂ）互いに対して平行に方向づけされており、かつ／又は
ｃ）互いに対して並列かつ互いに独立して、浄化すべき生ガス流（１０６）によって貫流可能である、
ことを特徴とする請求項１から５のいずれか１項に記載のフロー装置（１００）。
【請求項７】
フローセグメント（１１２）が、少なくともほぼリング形状に形成されており、フローボディ（１１８）及び／又はフローボディ（１１８）を収容するためのフローボディ収容部（１２０）が、フローセグメント（１１２）の共通の中心軸線及び／又は共通の対称軸線（１１６）に関して、それぞれのフローセグメント（１１２）のベースボディ（１１４）から径方向（１２２）外側へ離れるように張り出している、ことを特徴とする請求項１から６のいずれか１項に記載のフロー装置（１００）。
【請求項８】
各フローセグメント（１１２）が、それぞれベースボディ（１１４）と、ベースボディ（１１４）から離れるように張り出す、特に径方向外側へ張り出す、１つ又は複数のフローボディ（１１８）及び／又はフローボディ（１１８）を収容するためのフローボディ収容部（１２０）とを有している、ことを特徴とする請求項１から７のいずれか１項に記載のフロー装置（１００）。
【請求項９】
ベースボディ（１１４）がフロー装置（１００）の浄化モードにおいて、各フローセグメント（１１２）の生ガス分配通路（１５６）を形成する、ことを特徴とする請求項８に記載のフロー装置（１００）。
【請求項１０】
各フローセグメント（１１２）の１つ又は複数のフローボディ（１１８）を収容するための１つ又は複数のフローボディ収容部（１２０）が、それぞれフランジ領域（１８８）を有しており、前記フランジ領域にそれに対応する、ドッキング装置（１６８）のフランジ領域（１８８）が添接可能である、ことを特徴とする請求項１から９のいずれか１項に記載のフロー装置（１００）。
【請求項１１】
ドッキング装置（１６８）が複数のドッキングスリーブ（１７６）を有しており、前記ドッキングスリーブが特にフローセグメント（１１２）に対して移動可能であり、かつそれに圧接可能である、ことを特徴とする請求項１から１０のいずれか１項に記載のフロー装置（１００）。
【請求項１２】
ドッキング装置（１６８）が、フローセグメント（１１２）に対して移動可能なドッキングユニット（１７０）を有しており、前記ドッキングユニットがメイン通路（１７５）と、メイン通路（１７５）からフローセグメント（１１２）のフローボディ（１１８）の方向にメイン通路（１７５）から離れるように張り出す複数のドッキングスリーブ（１７６）とを有している、ことを特徴とする請求項１から１１のいずれか１項に記載のフロー装置（１００）。
【請求項１３】
１つ又は複数の再生すべきフローセグメント（１１２）が、ドッキングユニット（１７２）によって流体的に有効に生ガス供給部（１０４）およびクリーンガス導出部（１１０）から分離可能であって、かつ再生装置（１６０）の再生ガスガイド（１６６）内へ結合可能である、ことを特徴とする請求項１から１２のいずれか１項に記載のフロー装置（１００）。
【請求項１４】
フロー装置（１００）がロータ装置（１３６）を有しており、前記ロータ装置によってフローセグメント（１１２）がフロー装置（１００）のハウジング（１０２）に対し、かつ／又はドッキング装置（１６８）に対して回転可能に収容され、特に支承されている、ことを特徴とする請求項１から１３のいずれか１項に記載のフロー装置（１００）。
【請求項１５】
フローセグメント（１１２）が実質的に互いに独立してロータ装置（１３６）に収容され、特に支承されている、ことを特徴とする請求項１から１４のいずれか１項に記載のフロー装置（１００）。
【請求項１６】
フローセグメント（１１２）が、異なる熱膨張を補償するために１つ又は複数の空間方向に互いに対して移動可能である、ことを特徴とする請求項１から１５のいずれか１項に記載のフロー装置（１００）。
【請求項１７】
フロー装置（１００）を駆動する、特に燃焼排ガスから煤粒子を分離する、方法であって、該方法が以下のステップを有する：
フロー装置（１００）の複数のフローセグメント（１１２）を、浄化すべき生ガス流（１０６）によって貫流し、生ガス流（１０６）から不純物がフローセグメント（１１２）のフローボディ（１１８）内で分離され、かつ／又は変換されて、フローセグメント（１１２）の下流においてクリーンガス流（１０８）が得られ、
１つ又は複数のフローセグメント（１１２）を再生装置（１６０）によって再生し、再生装置（１６０）のドッキング装置（１６８）によって１つ又は複数の再生すべきフローセグメント（１１２）と、再生装置（１６０）の加熱装置（１６２）及び／又は洗浄装置（１６４）との間に一時的な接続が形成される、
方法。
【請求項１８】
１つ又は複数の再生すべきフローセグメント（１１２）がドッキング装置（１００）。１６８）によって機能的に、かつ／又は流体的に有効に残りのフローセグメント（１１２）から分離されて、再生装置（１６０）によって再生され、残りのフローセグメント（１１２）はさらに浄化モードにおいて生ガス流（１０６）から不純物を分離するために利用される、ことを特徴とする請求項１７に記載の方法。
【発明の詳細な説明】
【技術分野】
【０００１】
本発明は、フロー装置及びフロー装置を駆動する方法に関する。フロー装置は、特に内燃機関の排ガスライン内で排ガス浄化装置として使用するための分離装置である。内燃機関は、特に、燃料としての重油で駆動される内燃機関、たとえば船舶エンジンであり、かつ／又はたとえば固体負荷を受ける燃料及び／又は固定負荷を受ける潤滑剤によって駆動される、その他の内燃機関である。
【背景技術】
【０００２】
フロー装置は、たとえば国際公開第２０１３／１７９２６６（Ａ１）号から知られている。
【先行技術文献】
【特許文献】
【０００３】
【特許文献１】国際公開第２０１３／１７９２６６（Ａ１）号
【発明の概要】
【発明が解決しようとする課題】
【０００４】
本発明の課題は、構造が単純であって、確実かつエネルギ効率よく駆動することができるフロー装置を提供することである。
【課題を解決するための手段】
【０００５】
この課題は、本発明によれば、生ガス流から不純物を除去するため、特に燃焼排ガスから煤粒子を分離するための、フロー装置によって解決され、フロー装置は：
複数のフローセグメントを有し、それらのフローセグメントがそれぞれ１つ又は複数のフローボディを有し、かつ浄化モードにおいて不純物を除去するために生ガス流によって貫流可能であって、生ガス供給部を介して生ガス流をフローセグメントへ供給可能であり、フローセグメントによって浄化されたクリーンガス流がクリーンガス導出部を介してフローセグメントから導出可能であり；
フローセグメントを再生するための再生装置を有し、再生装置が、１つ又は複数の再生すべきフローセグメントと、再生装置の加熱装置及び／又は洗浄装置との間に一時的な接続を形成するためのドッキング装置を有している。
【０００６】
フロー装置が複数のフローセグメントと、ドッキング装置を備えた再生装置とを有していることによって、フロー装置は好ましくは単純に構築されて、確実かつエネルギ効率よく駆動することができる。
【０００７】
フロー装置は、好ましくは分離装置である。
【０００８】
フローセグメントは、好ましくは分離セグメントである。
【０００９】
フローボディは、好ましくは分離ボディである。
【００１０】
浄化モードは、好ましくは分離モードである。
【００１１】
不純物を除去するために、不純物は好ましくは分離及び／又は変換される。
【００１２】
煤ガス流は、特に内燃機関の排ガス流であって、その内燃機関は特に燃料としての重油、たとえばヘヴィーフュエルオイル（ＨＦＯ）又はマリンフュエルオイル（ＭＦＯ）などによって駆動される。内燃機関は、特に固定のあるいは可搬の内燃機関である。たとえば内燃機関は、船舶エンジンである。
【００１３】
ドッキング装置が選択的に様々なフローセグメントにドッキング可能となるように、フロー装置がドッキング装置及び／又はフローセグメントを移動させるための移動装置を有していると、効果的であり得る。
【００１４】
フローセグメントは、たとえば移動装置によって回転運動させることができる。
【００１５】
移動装置が特に駆動装置を有しており、その駆動装置によってフローセグメント及び／又はドッキング装置が自動的及び／又は自動化されて移動可能である。
【００１６】
たとえば、フローセグメントが移動装置の駆動装置によって離散的なステップで移動可能となることができ、各ステップによって好ましくは他のフローセグメントがその再生のためにドッキング装置に対して位置決めされる。特にフローセグメントは、歩進的に次々と再生位置へ移動可能であり、その再生位置においてドッキング装置がそれぞれのフローセグメントにドッキング可能である。
【００１７】
駆動装置、特にモータ、たとえば電気モータは、好ましくはフローセグメントのクリーンガス搬出側へ向いたクリーンガス側に配置されている。
【００１８】
駆動装置がフロー装置のハウジングの内部に配置されており、それによって特にハウジング壁の軸挿通が省かれると、効果的であり得る。それによって最適な密閉性を得ることができる。
【００１９】
本発明の形態において、フローセグメントはそれぞれ個別に考慮して、少なくともほぼ円柱形のセグメント形状に形成されている。
【００２０】
その代わりに、あるいはそれを補って、フローセグメントがまとまって少なくともほぼ円柱形状のフローユニットを形成することができる。たとえばフローセグメントは、まとまって少なくともほぼ中空円筒形状のフローユニットを形成する。
【００２１】
フローユニットは、好ましくは分離ユニットである。
【００２２】
各フローセグメントは、好ましくはそれぞれ複数のフローボディを有しており、それらのフローボディがそれぞれのフローセグメントの、互いに異なる、かつ／又は空間的に互いに分離されたフローボディ収容部内に収容されている。
【００２３】
フローボディは、特にフローボディ収容部内に固定されている。
【００２４】
フローボディが少なくともほぼ円柱形状に形成されていると、効果的であり得る。フローボディ収容部は、好ましくはそれに対して相補的に形成されている。特にフローボディ収容部は、好ましくは円柱形状に形成されている。
【００２５】
フローセグメントの、径方向に関して外側に位置するフランジ領域が、フローボディ収容部及び／又はフローボディの、径方向外側に位置する端部によって形成されていると、好ましい場合がある。
【００２６】
それに対して相補的に形成された、ドッキングスリーブのフランジ領域が、好ましくは簡単な接触及び／又は密閉を可能にする。
【００２７】
各フローセグメントがそれぞれ複数のフローボディを有しており、それらのフローボディがａ）列をなして並べて配置されており、かつ／又はｂ）互いに対して平行に方向づけされており、かつ／又はｃ）互いに対して並列かつ互いに独立して浄化すべき生ガス流によって貫流可能であると、好ましい場合がある。
【００２８】
各フローセグメントの円柱形状のフローボディ収容部及び／又は円柱形状のフローボディの対称軸線、特に回転軸線は、好ましくは少なくともほぼ互いに対して平行に方向づけされている。
【００２９】
好ましくはすべてのフローセグメントのフローボディ収容部及び／又はフローボディのすべての回転軸線が、共通の軸線に沿って交わる。この軸線は、特にフローユニットの回転軸線である。
【００３０】
フローセグメントは、好ましくは複数のフローボディを有しており、それらがすべて１列に並べて配置されている。たとえば各フローセグメントのために、少なくとも６つのフローボディ、特に少なくとも１０のフローボディが設けられている。
【００３１】
フローユニットは、好ましくは少なくとも６つ、特に少なくとも８つ、たとえば１０のこの種のフローセグメントを有し、あるいはそれらからなる。
【００３２】
フローセグメントが少なくともほぼリング形状に配置されており、フローボディ及び／又はフローボディを収容するためのフローボディ収容部が、フローセグメントの共通の中心軸線及び／又は共通の対称軸線に関して、それぞれのフローセグメントのベースボディから径方向外側へ離れるように張り出していると、効果的であり得る。
【００３３】
中心軸線は、特にフローユニットの回転軸線である。
【００３４】
各フローセグメントがそれぞれベースボディと、ベースボディから離れるように張り出す、特に径方向外側へ張り出す、１つ又は複数のフローボディ及び／又はフローボディを収容するためのフローボディ収容部とを有していると、効果的であり得る。
【００３５】
ベースボディは、フロー装置の浄化モードにおいて好ましくは各フローセグメントの生ガス分配通路を形成する。
【００３６】
ベースボディは、特にフローボディ及び／又はフローボディ収容部に対して径方向内側に位置するように配置されている。
【００３７】
ベースボディは、好ましくは、円環セクションの形状に相当する横断面形状を有している。その場合に横断面形状は、特に回転軸線に対して垂直にみたものである。
【００３８】
各フローセグメントのベースボディは、さらに、たとえばクリーンガスをまとめて案内し、かつ／又は導出するためのクリーンガス収集通路及び／又は灰を搬出するための灰搬出通路を形成することができる。
【００３９】
フローボディは、浄化モードにおいて好ましくは径方向内側から外側へ、あるいは外側から内側へ貫流される。
【００４０】
各フローセグメントのベースボディは、好ましくは軸方向において片側が開放している。
【００４１】
好ましくはすべてのフローセグメントのすべてのベースボディが共通の側へ向かって開放しており、その側は特に生ガス供給部へ向けられている。
【００４２】
１つ又は複数のフローボディを収容するための１つ又は複数のフローボディ収容部、特にすべてのフローボディ収容部は、好ましくはそれぞれフランジ領域を有しており、そのフランジ領域に、それに対応するドッキング装置のフランジ領域が添接可能であって、特に直接それと接触可能、それに圧接可能及び／又は密閉可能である。
【００４３】
ドッキング装置が複数のドッキングスリーブを有しており、それらが特にフローセグメントに対して移動可能であり、かつそれに圧接可能であると、好ましい場合がある。
【００４４】
ドッキング装置は、好ましくはフローセグメントに対して移動可能なドッキングユニットを有している。
【００４５】
好ましくはドッキングユニットはメイン通路と、メイン通路からフローセグメントのフローボディの方向にメイン通路から離れるように張り出す複数のドッキングスリーブとを有している。
【００４６】
ドッキングユニットは、好ましくはレバー機構によって移動可能であり、特に１つ又は複数のフローセグメントの方向に移動可能であり、かつそれに圧接可能である。
【００４７】
フロー装置は、好ましくはフローセグメントを収容するためのハウジングを有している。
【００４８】
ドッキングユニットは、特にハウジングの内部空間内に配置され、かつ／又はその中で移動可能である。
【００４９】
好ましくは少なくともドッキングスリーブは、ハウジングの内部空間の内部に完全に配置されて、その中で移動可能である。
【００５０】
ドッキングユニットは、好ましくは実質的に線形に径方向にフローセグメントのフローボディ収容部へ圧接可能であり、あるいは逆方向にフローボディ収容部から取り外し可能である。
【００５１】
１つ又は複数の再生すべきフローセグメントは、好ましくはドッキングユニットによって流体的に有効に生ガス供給部及びクリーンガス導出部から分離可能であって、再生装置の再生ガスガイド内へ結合可能である。
【００５２】
ドッキングユニットが１つ又は複数の再生すべきフローセグメントと共に、再生装置の再生ガスガイドの構成要素を形成することができる。
【００５３】
フロー装置がロータ装置を有し、そのロータ装置によってフローセグメントがフロー装置のハウジングに対して、かつ／又はドッキング装置に対して、回転可能に収容され、特に支承されていると、好ましい場合がある。
【００５４】
複数のフローセグメント、好ましくはすべてのフローセグメントが、特に互いに一緒に移動可能であり、たとえば回転可能である。
【００５５】
好ましくは、フローセグメントが垂直の軸線を中心に回転可能である。
【００５６】
ロータ装置が好ましくは、複数の、特にすべての、フローセグメントを収容するためのセグメント収容部を有している。
【００５７】
セグメント収容部は、特にリング形状、中空円筒形状及び／又は中空円錐台形状に形成されている。
【００５８】
好ましくはフローセグメントの径方向内側へ向かって先細る端部が、セグメント収容部内へ張り出す。それによってフローセグメントは、好ましくは確実にセグメント収容部内に、あるいはセグメント収容部に固定されている。
【００５９】
セグメント収容部は、好ましくは中央の軸を介して、かつ回転軸受を介してハウジングに回転可能に軸承されている。
【００６０】
回転軸受とセグメント収容部は、好ましくはフローセグメントの互いに対向する端部に配置されている。
【００６１】
好ましくは中央の軸は、フローセグメントの対称軸線又は回転軸線に沿ってフローセグメントの全長を越えて延びている。
【００６２】
フローセグメントが実質的に互いに独立して、ロータ装置に収容され、特に軸承されていると、効果的であり得る。
【００６３】
ロータ装置がそれに配置されているフローセグメントと共に、好ましくは少なくともほぼ垂直の回転軸線を中心に回転可能にフロー装置のハウジングに軸承されている。
【００６４】
フローセグメントが、異なる熱膨張を補償するために互いに対して１つ又は複数の空間方向に移動可能であると、好ましい場合がある。
【００６５】
特に１つ又は複数の再生すべきフローセグメントがその再生の間、特に加熱モードを実施する間、残りのフローセグメントに対して次のように、すなわち１つ又は複数の再生すべきフローセグメントの温度に基づく膨張が、残りのフローセグメントへ影響を与えず、あるいは無視できる程度のわずかな影響しか与えないように、配置され、特に支承されている。
【００６６】
フローセグメントは、特にリング形状に配置されており、かつ互いに対して軸方向及び／又は径方向に移動可能である。その場合に再生される際に加熱されたフローセグメントは、特に径方向外側へ向かって、かつ軸方向に、好ましくは重力方向とは逆に、上方へ向かって膨張する。
【００６７】
フローセグメントは互いに熱絶縁して配置することができる。
【００６８】
特に、２つの隣接して配置されたフローセグメントの間に、１つの熱的な分離層あるいは１つ又は複数の熱的な分離部材を配置することができる。
【００６９】
隣接するフローセグメントの間の、特に２つの隣接するフローセグメントの間の、大面積の熱伝達を回避するために、それぞれ１つ又は複数のスペースホルダ、特にリブ構造が設けられていると、好ましい場合がある。
【００７０】
再生装置が再生ガスガイドを有し、その再生ガスガイドによって熱ガス流が１つ又は複数の再生すべきフローセグメントへ供給可能であると、効果的であり得る。
【００７１】
好ましくは熱ガス流は、再生ガスガイドによって様々な方向から１つ又は複数の生成すべきフローセグメントへ供給可能である。
【００７２】
特に再生ガスガイドによって熱ガス流を、選択的に互いに異なる方向から１つ又は複数の再生すべきフローセグメントへ供給可能とすることができる。
【００７３】
再生装置を加熱モードへ移行させることができ、その再生モードにおいて加熱装置の、特に燃焼装置及び／又は電気的な加熱装置の、熱ガス流が次のように、すなわち１つ又は複数の再生すべきフローセグメント内の流れ方向が、浄化すべき生ガス流がそれを浄化するために１つ又は複数のフローセグメントを通って流れる、浄化モードにおける流れ方向に相当するように、１つ又は複数の再生すべきフローセグメントへ供給可能とすることができる。
【００７４】
再生装置が洗浄モードへ移行可能であって、その洗浄モードにおいて加熱装置の、特に燃焼装置及び／又は電気的加熱装置の、熱ガス流及び／又は洗浄ガスが次のように、すなわち１つ又は複数の再生すべきフローセグメント内の流れ方向が、浄化すべき生ガス流がそれを浄化するために１つ又は複数のフローセグメントを通って流れる、浄化モードにおける流れ方向とは逆となるように、１つ又は複数の再生すべきフローセグメントへ供給可能であると、好ましい場合がある。
【００７５】
再生装置は、好ましくは熱ガス流を駆動するためのベンチレータを有している。
【００７６】
さらに再生装置が、特に洗浄ガス、たとえば新鮮空気を再生ガスガイドへ供給するために、洗浄装置を有することができる。
【００７７】
ベンチレータが、再生装置の加熱モードにおける熱ガス流の流れ方向に関して、かつ／又は再生装置の洗浄モードにおける熱ガス流の流れ方向に関して、加熱装置の下流及び／又は１つ又は複数の再生すべきフローセグメントの下流に配置されていると、効果的であり得る。
【００７８】
加熱モードにおける熱ガス流の流れ方向と洗浄モードにおける熱ガス流の流れ方向は、好ましくは１つ又は複数の再生すべきフローセグメントの領域内で、互いに逆向きである。
【００７９】
それにもかかわらず、好ましくは再生ガスガイドは、加熱モードにおいても洗浄モードにおいても、ベンチレータが加熱装置の下流かつ／又は１つ又は複数の再生すべきフローセグメントの下流に配置されるように、形成されている。
【００８０】
本発明の代替的な形態において、ベンチレータは熱ガス流の流れ方向に関して、かつ／又は加熱装置へ供給すべき供給空気流に関して、加熱装置の上流に配置することができる。
【００８１】
再生装置が、１つ又は複数の再生すべきフローセグメントから除去された不純物を分離して収容するための収容装置を有していると、効果的であり得る。
【００８２】
これらの不純物は、特に灰であり、その灰は加熱モードの実施の間に１つ又は複数の再生すべきフローセグメント内に発生して、まずその中に留まり、かつ好ましくは洗浄モードにおいて１つ又は複数の再生すべきフローセグメントから運び出される。
【００８３】
収容装置は、好ましくはガス流から、特に熱ガス流から不純物、特に灰を分離するための固体分離器、特にサイクロンを有し、そのサイクロンによって不純物、特に灰が１つ又は複数の再生すべきフローセグメントから運び出されている。
【００８４】
さらに、収容装置は好ましくは不純物、特に灰を貯蔵するための貯蔵容器を有している。
【００８５】
収容装置がロータリーフィーダーを有しており、それが固体分離器を貯蔵容器から分離して、特に固体分離器内で分離された不純物を所望に導出して貯蔵容器へ案内するために用いられると、効果的であり得る。
【００８６】
収容装置が再生ガスガイドによって１つ又は複数の再生すべきフローセグメント及び／又は再生装置のベンチレータと流体的に有効に接続することができる。
【００８７】
熱ガス流及び／又は洗浄ガス流の流れ方向に関して、収容装置は好ましくは１つ又は複数の再生すべきフローセグメントと、再生装置のベンチレータとの間に配置されている。
【００８８】
本発明の形態において、熱ガス流は１つ又は複数の再生すべきフローセグメントの貫流後、収容装置の貫流後及び／又はベンチレータの貫流後に、フロー装置の生ガス供給部及び／又はクリーンガス導出部へ供給可能とすることができる。
【００８９】
再生装置は好ましくは複数の導管、弁、分岐及び／又はまとめガイドを有しており、それらは特に、上述した接続と流れが可能であるように、配置され、かつ／又は形成されている。
【００９０】
フローボディは、特にフィルタボディ、たとえばいわゆるウォールフローフィルタ（wall flow filter）である。
【００９１】
フローボディが、壁貫流されるハニカムボディであると、好ましい場合がある。
【００９２】
フローボディは、好ましくは触媒コーティングを有しているので、フローボディ内に配置され、分離され、かつ／又は変換された不純物は、通常の燃焼プロセスに比較して低下された燃焼温度において化学的に変換することができる。
【００９３】
フローボディは、特にセラミック材料から形成され、かつ／又は触媒コーティングを有している。
【００９４】
本発明は、さらに、フロー装置を駆動する方法に関する。
【００９５】
これに関して本発明の課題は、簡単、確実かつエネルギ効率よく実施することができる方法を提供することである。
【００９６】
この課題は、本発明によれば、フロー装置を駆動するため、特に燃焼排ガスから煤粒子を分離するための、方法によって解決され、その場合に方法は以下のものを有している：
フロー装置の複数のフローセグメントを浄化すべき生ガス流によって貫流し、その場合に不純物がフローセグメントのフローボディ内で生ガス流から分離され、かつ／又は変換されて、フローセグメントの下流においてクリーンガス流が得られ；
１つ又は複数のフローセグメントを再生装置によって再生し、その場合に再生装置のドッキング装置によって、１つ又は複数の再生すべきフローセグメントと、再生装置の加熱装置及び／又は洗浄装置との間に一時的な接続が形成される。
【００９７】
本発明に係る方法は、好ましくは本発明に係るフロー装置に関連して記述された個々の、あるいは複数の特徴及び／又は利点を有している。
【００９８】
１つ又は複数の再生すべきフロー装置が、ドッキング装置によって機能的に、かつ／又は流体的に有効に残りのフローセグメントから分離され、かつ／又は再生装置によって再生され、残りのフローセグメントがさらに浄化モードにおいて生ガス流から不純物を除去するために利用されると、好ましい場合がある。
【００９９】
フローセグメントは、好ましくは個々に次々と再生装置によって再生可能である。
【０１００】
フロー装置のハウジングは、好ましくは周囲に対して気密に密閉されている。特に好ましくはすべての移動可能な構成部分及び／又は導管及び／又は供給導管が１つ又は複数の金属の蛇腹によってハウジングのハウジング壁に弾性的に撓むことができるように固定されている。それによって特に、ハウジングの気密性を損なうことなしに、熱的な膨張変化を確実に補償することができる。
【０１０１】
フローセグメントを移動させるための移動装置、特にロータ装置は、たとえばラチェットドライブを有することができる。その場合にロータ装置はそれに配置されているフローセグメントと共に、好ましくはフィルタハウジングの外部からの線形運動によって駆動可能である。
【０１０２】
本発明の他の好ましい特徴及び／又は利点が、実施例についての以下の説明及び図面表示の対象である。
【図面の簡単な説明】
【０１０３】
【図１】フロー装置を図式的に示す斜視図であって、その場合にフロー装置のハウジングは、その中に含まれるコンポーネントを示すために透明にして示されている。
【図２】図１のフロー装置を図式的に示す側面図である。
【図３】図１のフロー装置を図式的に示す分解斜視図である。
【図４】フロー装置のロータ装置をロータ装置に配置された、フロー装置のフローセグメントと共に図式的に示している。
【図５】図２の領域Ｖを拡大して示しており、その場合にドッキング装置は再生すべきフローセグメントから離隔している。
【図６】図２の領域Ｖの図５に相当する図式的な表示であって、その場合にドッキング装置は再生すべきフローセグメントにドッキングされている。
【図７】フロー装置の機能方法を示すために、図１のフロー装置を図式的に示す断面図であって、その場合にフロー装置は浄化モードで駆動される。
【図８】図１のフロー装置を、図７に相当する断面で示しており、その場合にフロー装置は加熱モードで駆動される。
【図９】図１のフロー装置を、図７に相当する断面で示しており、その場合にフロー装置は洗浄モードで駆動される。
【発明を実施するための形態】
【０１０４】
すべての図において、同一又は機能的に等価の部材には、同一の参照符号が設けられている。
【０１０５】
図１から９に示す、全体を符号１００で示すフロー装置の実施形態は、たとえば内燃機関の排ガス浄化設備の構成要素として使用される。
【０１０６】
その場合にフロー装置１００は、特にディーゼルエンジン、たとえば重油ディーゼルエンジンと組み合わせて使用するのに適している。
【０１０７】
フロー装置１００は、特に固定の適用において、あるいは可搬の適用において使用することができる。
【０１０８】
特にフロー装置１００は、重油で駆動される船舶エンジンの排ガスライン内で使用することができる。さらにこのフロー装置１００は、たとえば固体負荷を受ける燃料及び／又は固体負荷を受ける潤滑剤によって駆動される、その他の内燃機関にも適している。
【０１０９】
フロー装置１００はハウジング１０２を有しており、そのハウジングへ生ガス供給部１０４を介して生ガス流１０６が供給可能である。
【０１１０】
生ガス流１０６は、特にハウジング１０２の内部で浄化可能であって、それによってクリーンガス流１０８が得られる。
【０１１１】
クリーンガス流１０８は、特にクリーンガス導出部１１０を介してハウジング１０２から導出可能である。
【０１１２】
生ガス流１０６を浄化するために、フロー装置１００は複数のフローセグメント１１２、たとえば１０、１２、１４又は１６のフローセグメント１１２を有している。
【０１１３】
フローセグメント１１２は、特に実質的に円柱形状かつ／又は円環状に配置されている。
【０１１４】
各フローセグメント１１２は、好ましくはベースボディ１１４を有している。
【０１１５】
フローセグメント１１２のベースボディ１１４は、特に横断面においてそれぞれ円環セクション形状に形成されており、一緒にまとまって、完全に閉成された円環を形成する。
【０１１６】
その場合にフローセグメント１１２のベースボディ１１４は、特に対称軸線１１６を中心に対称に配置されている。
【０１１７】
各フローセグメント１１２は、好ましくは複数のフローボディ１１８を有しており、それらはフローボディ収容部１２０内に配置されている。
【０１１８】
フローボディ収容部１２０は、各フローセグメント１１２のベースボディ１１４に固定されており、特にそれぞれのベースボディ１１４から離れるように張り出している。
【０１１９】
特にフローボディ収容部１２０は、好ましくは、これらのフローボディ収容部が対称軸線１１６に関してベースボディ１１４から径方向１２２に外側へ向かって張り出すように、ベースボディ１１４に配置されている。
【０１２０】
フローボディ収容部１２０は、特に実質的に中空円柱状に形成されている。
【０１２１】
フローボディ１１８は、フローボディ収容部１２０を好ましくは実質的に完全に充填し、かつ特にフローボディ収容部１２０の内部空間に対して実質的に相補的に形成されている。
【０１２２】
したがってフローボディ１１８は、特に円柱形状に形成されている。
【０１２３】
特に図４から読み取ることができるように、フローセグメント１１２は中央の軸１２４を中心に対称に配置されており、かつその軸に対して固定されている。
【０１２４】
特にフローセグメント１１２のベースボディ１１４は、軸方向１２６にだんだんと細くなる端部１２８を有しており、その場合に各ベースボディ１１４のそれぞれの細くなる端部１２８はセグメント収容部１３０内へ張り出して、それによって所望の位置に保持される。
【０１２５】
セグメント収容部１３０は、特に中央の軸１２４に配置されており、たとえば相対回動不能に固定されている。
【０１２６】
特に図２から読み取れるように、中央の軸１２４のセグメント収容部１３０とは逆の端部に、回転軸受１３２が設けられている。
【０１２７】
この回転軸受１３２によって中央の軸１２４、セグメント収容部１３０及びフローセグメント１１２が、好ましくは対称軸線１１６を中心に回転可能にハウジング１０２に軸承されている。
【０１２８】
したがって対称軸線１１６は、特に回転軸線１３４でもある。
【０１２９】
フロー装置１００の、ハウジング１０２に回転可能に支承された構成部分は、特にまとめてロータ装置１３６と称される。
【０１３０】
フローセグメント１１２の全体が、特にフローユニット１３８である。
【０１３１】
フロー装置１００は、好ましくはさらに、ハウジング１０２の内部でロータ装置１３６を移動させ、特に回転させるための移動装置１４０を有している。
【０１３２】
そのために移動装置１４０は、特に駆動装置（図示せず）を有することができる。
【０１３３】
移動装置１４０によってロータ装置１３６が、回転軸線１３４を中心に特に歩進的に回転可能である。
【０１３４】
それによってフローセグメント１１２は、特に歩進的に次々と、後述する再生装置に対して位置決め可能である。
【０１３５】
図１から３からさらに明らかなように、フロー装置１００は上方の軸受リング１４２を有しており、その軸受リングに回転軸受１３２が回転可能に軸承されている。
【０１３６】
特に回転軸受１３２が軸受スター１４４を有しており、その軸受スターは径方向１２２に外側へ張り出す多数の突出部１４６からなる。突出部１４６に軸受ローラ１４８が配置されており、その軸受ローラは上方の軸受リング１４２上で円環形状の転動パス１５０に沿って円形に転動することができる。
【０１３７】
フロー装置１００は、さらに下方の軸受リング１５２を有しており、この軸受リングは好ましくはロータ装置１３６を側方において安定させ、かつ／又は案内するためだけに用いられる。
【０１３８】
下方の軸受リング１５２は、好ましくはロータ装置１３６の重力を吸収しない。
【０１３９】
フロー装置１００は、特に図７に示す浄化モードにおいて駆動可能である。
【０１４０】
この浄化モード内で、生ガス流１０６がハウジング１０２の内部空間１５４内へ導入される。
【０１４１】
その場合に生ガス供給部１０４によって生ガス流１０６がフローセグメント１１２のベースボディ１１４内へ導入され、そのためにベースボディの重力方向に関して下方の端部が開放して形成されている。
【０１４２】
生ガス流１０６は、ベースボディ１１４によってフローボディ収容部１２０内のフローボディ１１８へ分配される。
【０１４３】
したがってベースボディ１１４は、特に生ガス分配通路１５６を形成する。
【０１４４】
フローボディ１１８は、径方向１２２において内側から外側へ向かって生ガス１０６によって貫流される。
【０１４５】
それによって生ガス流１０６内に含まれる不純物、特に煤粒子が、フローボディ１１８内で分離され、かつ／又は変換される。
【０１４６】
したがってフローボディ１１８から流出するガス流は、浄化されたガス流であり、特にクリーンガス流１０８である。
【０１４７】
クリーンガス流１０８は、特に径方向１２２に関して外側でフローセグメント１１２に接して、かつ／又はフローセグメント１１２の間に沿って案内されて、クリーンガス導出部１１０を介してハウジング１０２から導出される。
【０１４８】
不純物が連続的に除去されることに基づいて、フロー装置１００の比較的長い駆動後に、不純物、特に煤によるフローボディ１１８の負荷が増大する。
【０１４９】
したがって、フロー装置１００の連続的かつ確実な駆動を可能にするためには、フローボディ１１８は規則的に再生されなければならない。
【０１５０】
この再生のために、フロー装置１００は再生装置１６０を有している。
【０１５１】
再生装置１６０は、特に加熱装置１６２及び／又は洗浄装置１６４を有している。
【０１５２】
さらに再生装置１６０は、再生ガスガイド１６６を有している。
【０１５３】
再生装置１６０は、好ましくはドッキング装置１６８を有しており、そのドッキング装置はフローセグメント１１２を再生するためにフローセグメントにドッキングすることができる。
【０１５４】
それによって再生すべきフローセグメント１１２は、流体的に有効に内部空間１５４、生ガス供給部１０４及び／又はクリーンガス導出部１１０から分離され、かつその場合に再生ガスガイド１６６の一部、特にセクションとなる。
【０１５５】
そのためにドッキング装置１６８はドッキングユニット１７０を有しており、そのドッキングユニットは再生すべきフローセグメント１１２のフローボディ収容部１２０に添接可能であり、好ましくは圧接可能である。
【０１５６】
ドッキング装置１６８は、さらに好ましくは他のドッキングユニット１７２を有しており、そのドッキングユニットがフローセグメント１１２のベースボディ１１４の開放した端部１７４に連結可能である。
【０１５７】
開放した端部１７４は、特に先細りの端部１２８である。
【０１５８】
フローボディ収容部１２０に連結可能なドッキングユニット１７０は、好ましくはメイン通路１７５を有しており、そのメイン通路は軸方向１２６に対して平行に延びており、かつ軸方向１２６に沿って互いに連続する複数のドッキングスリーブ１７６を有している。
【０１５９】
ドッキングスリーブ１７６は、特に径方向１２２においてメイン通路１７５から内側へ向かって離れるように張り出している。
【０１６０】
ドッキングスリーブ１７６は、特に少なくともセクション的にフローボディ収容部１２０に対して相補的に形成されており、それによって再生すべきフローセグメント１１２とドッキングユニット１７０の間の確実な添接及び／又は密閉が可能となる。
【０１６１】
メイン通路１７５は、たとえば吹き出しパイプ１７８と称することもできる。
【０１６２】
再生すべきフローセグメント１１２のベースボディ１１４の開放した端部１７４に連結可能なドッキングユニット１７２は、好ましくは捕捉漏斗部１８０を有している。
【０１６３】
捕捉漏斗部１８０もメイン通路１７５も、それぞれ接続スリーブ１８２によって再生ガスガイド１６６の残りの部分（図示せず）に接続可能である。
【０１６４】
ドッキング部材１７０、１７２は、ドッキングを可能にするために、特に線形に摺動可能に配置されている。
【０１６５】
その場合にドッキングユニット１７０は、特に径方向１２２に外側へ向かって、あるいは内側へ向かって移動可能である。そのために特に、フロー装置１００のハウジング１０２にメイン通路１７５を揺動可能かつ／又は線形に移動可能に支承するための１つ又は複数の揺動部材１８４が設けられている。
【０１６６】
他のドッキングユニット１７２は、特に軸方向１２６に対して平行に線形に摺動可能にハウジング１０２に支承されており、それによってドッキングユニット１７２は選択的に、再生すべきフローセグメント１１２のベースボディ１１４の開放した端部１７４に圧接し、あるいはそれから取り外すことができる。
【０１６７】
１つ又は複数の滑り軸受１８６によって、好ましくは特に、フロー装置１００の、特にドッキングユニット１７０、１７２の、移動可能なコンポーネント又はその他のコンポーネントの温度に基づく膨張を補償することができる。
【０１６８】
ドッキングユニット１７０、１７２及び／又はフローセグメント１１２、特にフローボディ収容部１２０、ドッキングスリーブ１７６などは、好ましくはそれぞれ確実に添接及び密閉するためのフランジ領域１８８を有している。
【０１６９】
特に図５と６から明らかなように、フランジ領域１８８は、たとえばドッキングユニット１７０の移動によって、互いにぴったりと添接することができ、それによってシール作用が最適化される。
【０１７０】
フロー装置１００の駆動中に、フローセグメント１１２は好ましくは常に個別に次々と再生される。
【０１７１】
それによってフロー装置１００は、フローセグメント１１２の連続的な再生にもかかわらず、さらに生ガス流１０６を浄化するために利用することができる。
【０１７２】
特に好ましくは、それぞれ１つのフローセグメント１１２のみが再生され、他のすべてのフローセグメント１１２は生ガス流１０６から不純物を除去するために利用される。
【０１７３】
再生プロセスは、以下のように進行する：
【０１７４】
まず、再生すべきフローセグメント１１２がすべてのフローユニット１３８及び／又はロータ装置１３６の回転によって再生位置へ移動されて、その再生位置において再生すべきフローセグメント１１２が径方向１２２において、ドッキング装置１６８のドッキングユニット１７０のすぐ前に配置される。
【０１７５】
その場合にドッキングユニット１７０、１７２がフローセグメント１１２へ向けられる。それによって再生すべきフローセグメント１１２のフローボディ収容部１２０がドッキングスリーブ１７６によって覆われる。それによって再生すべきフローセグメント１１２のベースボディ１１４の開放した端部１７４が、ドッキングユニット１７２によって覆われる。
【０１７６】
それによって再生すべきフローセグメント１１２の生ガス流１０６による貫流が中断される。
【０１７７】
むしろ、再生すべきフローセグメント１１２には、再生ガスガイド１６６からガスを供給することができる。
【０１７８】
再生装置１６０によって、特に加熱装置１６２によって、図８に示す加熱モードの表示のように、熱ガスが発生されて、再生すべきフローセグメント１１２を通して案内される。
【０１７９】
その場合に熱ガス流は、開放した端部１７４を通してフローセグメント１１２のベースボディ１１４内へ流入して、フローボディ収容部１２０とその中に配置されているフローボディ１１８へ分配される。
【０１８０】
熱ガス流がフローボディ１１８を貫流して、その際にそれを加熱する。
【０１８１】
それによって特に、フローボディ１１８内に含まれる不純物が強く加熱されて、それによって化学的に変換され、特に燃焼される。
【０１８２】
不純物の化学的変換を容易にするために、フローボディ１１８は好ましくは触媒コーティングを有している。
【０１８３】
加熱モードは、フローボディ１１８内に含まれる不純物の少なくとも大部分が燃焼されるまで、維持される。
【０１８４】
その後フローボディ１１８内には、不純物の残り、特に灰が残り、それはそれ以上加熱しても除去することはできない。
【０１８５】
したがってこの灰は、何らかのやり方でフローボディ１１８から除去される。
【０１８６】
それによって特に、図９に示す洗浄モードが能動化される。
【０１８７】
この洗浄モードにおいては、フローボディ１１８を貫流するガス流の流れ方向が反転される。
【０１８８】
その場合にガス流は、一方で、熱ガス流とすることができる。
【０１８９】
その代わりに、あるいはそれを補って、特に洗浄装置１６４によって準備される、洗浄ガス流を利用することができる。
【０１９０】
流れ方向の反転に基づいて、フローボディ１１８から不純物が運び出されて、特にまず再生すべきフローセグメント１１２のベースボディ１１４内へ移送される。ドッキングユニット１７２、特に捕捉漏斗部１８０を介して、不純物が最終的にベースボディ１１４から、そしてそれに伴ってフローセグメント１１２全体から搬出される。
【０１９１】
したがって対称軸線１１６は、回転軸線１３４でもあって、好ましくは実質的に垂直に方向づけされている。
【０１９２】
再生すべきフローセグメント１１２のベースボディ１１４の開放した端部１７４は、好ましくはフローセグメント１１２の重力方向に関して下方の端部に配置されている。
【０１９３】
それによって洗い流された不純物を簡単に取り除くことができる。というのはこの不純物が重力に基づいて下方へ落下して、捕捉漏斗部１１８を介して導出することができるからである。
【０１９４】
特にこびりついた不純物をフローボディ１１８から取り除くために、付加的なゆるめ装置１９０を設けることができる。
【０１９５】
ゆるめ装置１９０は、たとえば圧力パルス装置であって、それが特に複数のパルスパイプ１９２を有している。
【０１９６】
パルスパイプ１９２は、特にドッキングユニット１７０９の構成要素であって、好ましくはメイン通路１７５及び／又はドッキングスリーブ１７６内へ張り出している。
【０１９７】
特に、ドッキング装置１６８が再生すべきフローセグメント１１２に連結されている場合に、パルスパイプ１９２は、好ましくはフローボディ１１８へ向けられている。
【０１９８】
パルスパイプ１９２によって、特に圧力パルスをフローボディ上へ放射することができ、それによってその中に含まれる不純物が緩められて、最終的にフローボディ１１８から除去される。
【０１９９】
この種の圧力パルス装置の代わりに、あるいはそれを補って、たとえば音波による、特に共振装置による、清掃を設けることができる。この種の共振装置は、特にメイン通路１７５内へ組み込まれており、それによってその中でたとえば定常的音波が発生され、それによって同様にフローボディ１１８内の不純物を緩めることができる。
【０２００】
フローセグメント１１２の再生が行われた後に、ドッキング装置１６８がこのフローセグメント１１２から取り外される。
【０２０１】
次に、移動装置１４０によってフローユニット１３８及び／又はロータ装置１３６がさらに回動されて、それによって他のフローセグメント１１２が再生位置へ移動されて、再生装置１６０によって再生される。
【０２０２】
このようにして最終的にすべてのフローセグメント１１２を順に次々と再生することができる。
【０２０３】
フローセグメント１１２の選択された全体数に従って、好ましくは常に所定の時点でわずかな割合のフローボディ１１８のみが再生されるので、常にフローボディ１１８の大部分は連続的に生ガス流１０６の浄化のために提供される。
【０２０４】
特にフロー装置１００が大型の船舶エンジンにおいて使用される場合に、フロー装置１００の形態を選択することによって、分離体積が比較的大きいにもかかわらず、場所をとらない配置と簡単な構造及び確実な駆動を可能にすることができる。
【図１】
2019534143.tif 000003
【図２】
2019534143.tif 000004
【図３】
2019534143.tif 000005
【図４】
2019534143.tif 000006
【図５】
2019534143.tif 000007
【図６】
2019534143.tif 000008
【図７】
2019534143.tif 000009
【図８】
2019534143.tif 000010
【図９】
2019534143.tif 000011
【国際調査報告】
2019534143.tif 000012
2019534143.tif 000013
2019534143.tif 000014
2019534143.tif 000015